(57)【要約】【課題】洗濯物の傷みや絡みや洗いむらを軽減する電気洗濯機を提供する。【解決手段】洗濯兼脱水槽４の内壁に縦長形状の突条４ｂを設け、洗濯兼脱水槽の中央部に設置した羽根６を静止させた状態で洗濯兼脱水槽を往復回転させて洗濯し、羽根を回転自由な状態にして洗濯兼脱水槽を高速回転させて遠心脱水するように構成した。【選択図】  図１
2005006689.tif 000002
【特許請求の範囲】
【請求項１】
洗濯兼脱水槽と該洗濯兼脱水槽の中央部に位置させて設置した羽根を備え、前記洗濯兼脱水槽に入れた洗濯物を洗い，濯ぎ，脱水する工程を自動的に実行する電気洗濯機において、
前記洗濯兼脱水槽の内壁に縦状の複数の突条を設け、前記羽根を固定とした状態で前記洗濯兼脱水槽を右回転−休止−左回転を繰り返すように駆動して洗い，濯ぎを実行することを特徴とする電気洗濯機。
【請求項２】
請求項１において、前記洗濯兼脱水槽の内径寸法をＤφ，高さ寸法をＨとしたときのＨ／Ｄφの関係を０．６〜０．８とすると共に、羽根の高さ寸法をｈとしたときのｈ／Ｈの関係を１．１５〜０．２５としたことを特徴とする電気洗濯機。
【請求項３】
請求項２において、羽根の外径寸法ｄφとしたときのｄφ／Ｄφの関係を０．６〜０．９６とすると共に、洗濯兼脱水槽の内周面に突出させた突条と羽根の外周の間の間隙寸法Ｗを３５〜８０ｍｍとしたことを特徴とする電気洗濯機。
【請求項４】
請求項１〜３の１項において、洗濯兼脱水槽の回動角度は、洗濯物の量や質によって設定することを特徴とする電気洗濯機。
【請求項５】
請求項４において、洗濯兼脱水槽は、３０〜１５０度位の角度で１０〜６０回往復／毎分するように回転駆動することを特徴とする電気洗濯機。
【請求項６】
請求項１〜５の１項において、前記洗濯兼脱水槽は、インバータモータの中空回転軸に結合して回転駆動するように構成し、前記羽根は、前記中空回転軸内を貫通させるように該中空回転軸に支持させた羽根軸の内端に取り付けて設置し、この羽根軸の外端部分に該羽根軸を回転自由／回転不能にする係止機構を設けたことを特徴とする電気洗濯機。
【請求項７】
請求項１〜６の１項において、循環ポンプを設け、洗いおよび濯ぎ中は、洗い水および濯ぎ水を強制循環させることを特徴とする電気洗濯機。
【発明の詳細な説明】
【０００１】
【発明の属する技術分野】
本発明は、電気洗濯機に関する。
【０００２】
【従来の技術】
一般の電気洗濯機は、洗濯兼脱水槽の中央部に位置させて設置した撹拌翼を左右に往復するように繰り返し回転さて洗濯物に機械力を与えて洗濯を行う構成である。
【０００３】
【発明が解決しようとする課題】
このような電気洗濯機は、撹拌翼の回転によって洗濯物が絡み易く、また、洗濯物に部分的に機械力が加わって傷みが発生したり、洗いむらが発生する問題がある。
【０００４】
このような問題を解決するために、撹拌翼の径を大きくして該撹拌翼の回転速度を低くし、更に、回転時間を短くするように工夫しているが、撹拌翼を回転させて洗濯物に機械力を作用させていることから、洗濯物の傷みや絡みや洗いむら等を大幅に改善することは困難である。
【０００５】
本発明の１つの目的は、洗濯物の傷みや絡みや洗いむらを大幅に低減することができる電気洗濯機を提案することにある。
【０００６】
本発明の他の目的は、このような電気洗濯機を実現するために望ましい構成手段を提案することにある。
【０００７】
【課題を解決するための手段】
本発明は、洗濯兼脱水槽と該洗濯兼脱水槽の中央部に位置させて設置した羽根を備え、前記洗濯兼脱水槽に入れた洗濯物を洗い，濯ぎ，脱水する工程を自動的に実行する電気洗濯機において、前記洗濯兼脱水槽の内壁に縦状の複数の突条を設け、前記羽根を固定とした状態で前記洗濯兼脱水槽を右回転−休止−左回転を繰り返すように駆動して洗い，濯ぎを実行することを特徴とする。
【０００８】
具体的には、前記洗濯兼脱水槽の内径寸法をＤφ，高さ寸法をＨとしたときのＨ／Ｄφの関係を０．６〜０．８とすると共に、羽根の高さ寸法をｈとしたときのｈ／Ｈの関係を１．１５〜０．２５としたことを特徴とする。
【０００９】
また、羽根の外径寸法ｄφとしたときのｄφ／Ｄφの関係を０．６〜０．９６とすると共に、洗濯兼脱水槽の内周面に突出させた突条と羽根の外周の間の間隙寸法Ｗを３５〜８０ｍｍとしたことを特徴とする。
【００１０】
また、洗濯兼脱水槽の回動角度は、洗濯物の量や質によって設定し、３０〜１５０度位の角度で１０〜６０回往復／毎分するように回転駆動することを特徴とする。
【００１１】
また、前記洗濯兼脱水槽は、インバータモータの中空回転軸に結合して回転駆動するように構成し、前記羽根は、前記中空回転軸内を貫通させるように該中空回転軸に支持させた羽根軸の内端に取り付けて設置し、この羽根軸の外端部分に該羽根軸を回転自由／回転不能にする係止機構を設けたことを特徴とする。
【００１２】
また、循環ポンプを設け、洗いおよび濯ぎ中は、洗い水および濯ぎ水を強制循環させることを特徴とする。
【００１３】
【発明の実施の形態】
本発明の実施の形態を図面を参照して説明する。
【００１４】
図１は、本発明の一実施の形態を示す全自動電気洗濯機の縦断面図、図２は、この全自動電気洗濯機における洗濯兼脱水槽と羽根の関係を示す縦断側面図、図３および図４は、洗濯（洗い，濯ぎ）工程における洗濯兼脱水槽の回転と洗濯物の挙動の関係を示す平面図、図５および図６は、電動駆動装置の内部機構を示す縦断側面図、図７は、制御系のブロック図、図８は、全自動で行う洗濯および脱水工程のタイムチャート、図９は、洗濯兼脱水槽内壁の突条と羽根の間の間隙と洗浄効果の関係を示す特性図、図１０は、洗濯兼脱水槽内壁の突条と羽根の間の間隙と布傷みおよび布絡みの関係を示す特性図である。
【００１５】
外槽１は、外枠２の上部の４隅から防振支持装置３によって懸垂支持するように該外枠２内に設置する。この外槽１内に回転可能に設置する洗濯兼脱水槽４は、上縁部に流体バランサー５を備え、内部の中央部に位置させて羽根６が設置され、周壁には多数の脱水穴４ａと内側に縦長形状に突出した複数の突条４ｂを備える。外槽１の底部の外側には、駆動電動機と洗濯脱水の切換機構を内蔵した電動駆動装置７を鋼板製の取り付けベース８を介して取り付け、前記羽根６を静止させた状態で前記洗濯兼脱水槽４を右回転−休止−左回転を繰り返すように駆動し、羽根６を回転自由にした状態で洗濯兼脱水槽４を一方向に連続的に回転させるように駆動する。
【００１６】
衣類投入９ａを形成した上カバー９は、前記衣類投入口９ａを洗濯兼脱水槽４の上方に位置させて、枠体２の上部開口を覆うように該開口の端縁に嵌め込み、フロントパネル１０およびバックパネル１１と共に取り付けねじ（図示省略）により外枠２に取り付けて設置する。
【００１７】
上カバー９の前縁部で、前記フロントパネル１０の下側に形成されるフロントパネルボックス１２は、電源スイッチと操作スイッチ群と表示素子群を備えた操作パネル１３と外槽１内に給水される洗濯水量に応じた水位検出信号を発生する水位センサ１４と制御装置１５を内蔵する。
【００１８】
上カバー９の後縁部で、バックパネル１１の下側に形成されるバックパネルボックス１６には、給水栓から給水ホース（何れも図示省略）を介して受水する受水口１７と注水口１８に接続した給水電磁弁１９を内蔵する。注水口１８は、洗濯兼脱水槽４の開口に向けて放水するように設ける。また、バックパネルボックス１６には、更に、必要に応じて、風呂の残り湯を洗濯兼脱水槽４に給水するための風呂水給水ポンプや水道水軟水化装置や洗剤投入装置（何れも図示省略）を設ける。
【００１９】
上カバー９に形成した衣類投入口９ａは、外蓋２０によって開閉自在に覆う。
【００２０】
外槽１の底部内側には、洗剤検出センサ２１を設置し、この底部に形成した排水口１ａは、排水電磁弁２２を介して排水ホース２３に接続する。また、外槽１の下部にはエアートラップ１ｂを設け、このエアートラップ１ｂは、エアーチューブ２４を介して前記水位センサ１４に接続する。
【００２１】
水位センサ１４は、給水量（外槽１内の水位）に応じた空気圧により水位を表わす水位検出信号を発生して制御装置１５に入力する。
【００２２】
また、外槽１の底部には、洗濯中に外槽１内の洗濯水を強制循環する循環ポンプ２５を設け、この循環ポンプ２５を運転することにより外槽１の底部の洗濯水を吸い出して循環ホース２６を介して洗濯兼脱水槽２内へ上側から放水するようにして循環させる。
【００２３】
外枠２の下方には、四隅に脚２７を取り付けた合成樹脂製のベース２８が装着されている。
【００２４】
この全自動電気洗濯機は、洗濯工程においては、図３および図４に示すように、羽根６を回転不能に係止して静止させた状態で洗濯兼脱水槽４を左右方向に往復させるように繰り返し回転させる構成である。
【００２５】
すなわち、洗濯物２９は、図３に示すように、洗濯兼脱水槽４内において該洗濯兼脱水槽４と羽根６の間に位置するように投入する。
【００２６】
そして、洗濯工程では、所定の洗濯水位まで給水した後に、図４に示すように、羽根６を回転不能に係止して静止させた状態で洗濯兼脱水槽４を右回転−休止−左回転するように駆動する。
【００２７】
洗濯兼脱水槽４が左右方向に往復するように繰り返し回転すると、洗濯兼脱水槽４の内周に突出する突条４ｂが洗濯物２９に該洗濯物２９の外周側の広い範囲に回転方向の機械力を作用させる。羽根６は、この洗濯物２９の中心（内）側に位置して該洗濯物２９の回転を阻止するように作用しているので、洗濯物２９には、揉み洗いのような機械力が作用する。
【００２８】
このときの洗濯兼脱水槽４の回動角度は、洗濯物２６の量や質（種類）によって設定することが望ましく、例えば、軽く洗う衣類については、３０〜６０度位の角度で１０〜３０回往復／毎分するように回転させ、木綿類などの肌着類など標準的に洗う衣類については、９０度位の角度で２０〜５０回往復／毎分するように回転させ、ジーンズや作業服などのように汚れが比較的強く付着し、生地的にも強い素材の衣類については、９０〜１５０度位の角度で４０〜６０回往復／毎分するように駆動するようにすることが望ましい。
【００２９】
このように、洗濯兼脱水槽４の回転角度および往復回数を洗濯物２９の種類に応じて設定することにより、洗濯物２９の広い範囲に揉み洗いするような機械力を作用させて該洗濯物２９を洗濯することができ、洗濯物２９の傷みや絡みや洗いむらの発生を軽減することができる。また、このように揉み洗いのような機械力を洗濯物２９に作用させるためには、洗濯水量は、５リットル／ｋｇ（洗濯物重量）程度とすることが望ましく、この洗濯水量は、撹拌翼を回転させることにより発生する水流で洗濯する従来の電気洗濯機に比べて半分程度の少ない量である。
【００３０】
しかも、この洗濯工程では、循環ポンプ２５を運転して外槽１内の洗濯水を強制循環させることにより、洗濯水も満遍なく洗濯物２９に作用させて有効に活用することができ、洗濯水の使用量を半減することができる。
【００３１】
洗濯工程を終了した後は、洗濯兼脱水槽１の回転と循環ポンプ２５の運転を停止し、排水電磁弁２２を開放することにより、洗濯水を排水ホース２３を介して機外へ排水する。
【００３２】
そして、排水が終了した後は、羽根６を回転可能な状態として洗濯兼脱水槽１を一方向に高速で回転させることにより洗濯物２９を回転させ、洗濯物２９に含まれる水分を遠心力によって脱水穴４ａを通して外槽１内に排出する。
【００３３】
このような洗濯および脱水工程を実現するために好適な電動駆動装置７の構成を図５，図６を参照して説明する。
【００３４】
この電動駆動装置７は、駆動電動機７１として、大きな駆動トルクを出力することができるインバータモータを使用する。この駆動電動機７１は、ケース７１ａの内側に固定子コイル７１ｂを巻装した固定子鉄心７１ｃを嵌着し、外周に磁極用のマグネット７１ｄを設けた回転子鉄心７１ｅを嵌着した中空回転軸７１ｆは、軸受７１ｇ，７１ｈによって前記ケース７１ａに回転可能に取り付けた構成である。
【００３５】
中空回転軸７１ｆ内には、羽根軸７２を貫通させて軸受７３ａ，７３ｂによって回転可能に支持し、内端部分における中空回転軸７１ｆと羽根軸７２の間はシール７４によって水密状態にする。
【００３６】
このように構成した駆動電動機７１は、中空回転軸７１ｆおよび羽根軸７２の内端部分を外槽１の底を貫通させて該外槽１内に突出させるように取り付けベース８を介して外槽１の底部の外側にねじ止めして取り付け、外槽１と中空回転軸７１の間は、シール７５によって水密状態にする。
【００３７】
中空回転軸７１ｆの内端部には、洗濯兼脱水槽４を嵌着してナット７６によって締め付け固定する。また、羽根軸７２の内端には、前記洗濯兼脱水槽４内の中央部に位置して底部から起立するように前記羽根６を取り付ける。
【００３８】
中空回転軸７１ｆを貫通する羽根軸７２の外端部分は、ケース７１ａを貫通させて駆動電動機７１の外側に導出する。そして、この導出部分を作用して、羽根６を回転不能状態とするように羽根軸７２を係止し、または、羽根６を回転可能な状態とするように羽根軸７２を解放する係止機構７７を設置する。
【００３９】
羽根軸７２には、駆動電動機７１の外側への導出部分のケース７１ａに近い内側部分にセレーション（セレーション軸部）７２ａを形成し、駆動電動機７１のケース７１ａには、羽根軸７２を回転不能に係止するための係止穴７１ｉを形成する。
【００４０】
係止機構７７は、羽根軸７２の導出部分に摺動可能に嵌合させて設けたスライダー７７ａと、支持部７７ｂによってケース７１ａに転角可能に取り付けられて前記スライダー７７ａを羽根軸７２の導出部分に沿って摺動させるように操作する操作アーム７７ｃと、この操作アーム７７ｃを駆動して転角させる切り換え駆動装置７７ｄを備える。
【００４１】
スライダー７７ａは、羽根軸７２のセレーション軸部７２ａと対向する位置に摺動したときに該セレーション軸部７２ａと噛み合うセレーション（セレーション穴部）７７ｅと、前記ケース７１ａの係止穴７１ｉに嵌入して回り止めする係止突起７７ｆを備える。
【００４２】
このように構成した電動駆動装置７は、洗濯工程においては、図５に示すように、スライダー７７ａのセレーション穴部７７ｅを羽根軸７２のセレーション軸部７２ａに噛み合わせる共に係止突起７７ｆをケース７１ａの係止穴７１ｉに嵌入して回り止めする位置に摺動させることにより、羽根６を回転不能状態に係止することができる。また、脱水工程においては、図６に示すように、スライダー７７ａのセレーション穴部７７ｅが羽根軸７２のセレーション軸部７２ａから離れて噛み合いを解く位置に摺動させることにより、羽根６を回転可能状態として洗濯兼脱水槽４と一体的に回転させることができる。
【００４３】
この全自動電気洗濯機の制御系を図７を参照して説明する。
【００４４】
制御装置１５は、マイクロコンピュータと駆動回路を主体にして構成し、操作パネル１３に設けた電源スイッチ１３１を投入することによって動作状態となり、操作スイッチ群１３２からの指示入力によって設定された洗濯，脱水コースに従って自動洗濯，脱水制御プログラムを実行することにより、水位センサ１９からの水位検出信号を参照しながら給水電磁弁１９を制御して洗濯水を給水し、洗剤検出センサ２１からの洗剤検出信号を参照して洗剤濃度を確認し、電動駆動装置７における係止機構７７（切り換え駆動装置７７ｄ）を制御することにより羽根６を静止状態／回転可能状態に制御し、駆動電動機７１を制御することによって洗濯兼脱水槽４を左右方向に往復回転させ（洗濯工程）、一方向に高速回転させ（脱水工程）、排水電磁弁２５を制御して洗濯水を排水し、その進行状態を操作パネル１３の表示素子止群１３３によって表示するように接続する。
【００４５】
このように構成した全自動電気洗濯機は、制御装置１５による制御処理によって、図８に示すようなは、全自動洗濯および脱水工程を実行する。
【００４６】
ステップＳ１０１
操作パネル１３に設けられた電源スイッチ１３１が投入され、操作スイッチ群１３２によって洗濯，脱水コースが設定され、スタートスイッチが押されると、検出工程を実行する。この検出工程では、羽根軸７２を係止して羽根６を静止状態とするように係止機構７７を制御し、洗濯兼脱水槽４を規定の角度で往復回転させるように駆動電動機７１を制御し、そのときの回転負荷を計測して洗濯物２９の量を検出（推定）する。そして、検出した洗濯物２９の量に応じて該洗濯部２９の洗濯に望ましい洗濯水の量〔５リットル／ｋｇ（洗濯物重量）程度〕を設定する。
【００４７】
ステップＳ１０２
給水工程を実行する。この給水工程では、給水電磁弁１９を開いて水道水（洗い水）を注水口１８から洗濯兼脱水槽４内へ給水する。この給水制御は、水位センサ１４から出力される水位検出信号を参照しながら行い、設定量になると給水電磁弁１９を閉じる。この給水の途中でも洗濯兼脱水槽４を規定の角度で往復回転させるように駆動電動機７１を制御し、そのときの回転負荷を計測して、既に検出している洗濯物２９の量を参照して洗濯物２９の質を検出（推定）し、洗濯に望ましい洗濯兼脱水槽４の回転角度と往復回数／毎分を設定する。
【００４８】
ステップＳ１０３
洗い工程を実行する。この洗い工程は、羽根軸７２を係止して羽根６を静止状態とするように係止機構７７を制御した状態で、洗濯兼脱水槽４を設定された角度で往復回転させるように駆動電動機７１を制御する。また、循環ポンプ２５を運転して洗い水を循環させる。
【００４９】
ステップＳ１０４
排水工程へ移行する。排水工程では、排水電磁弁２２を開放して外槽１内の洗い水を排水ホース２３を通して洗濯機外へ排水する。この排水制御は、排水開始からの時間制御や洗い水の変化を水位センサ１４による検出信号の変化を検知して行う。
【００５０】
ステップＳ１０５
排水が終了すると、洗濯物２９に含まれている洗い水を遠心脱水する脱水工程を実行する。この脱水工程では、羽根軸７２を解放して羽根４を回転可能状態とするように係止機構７７を制御し、洗濯兼脱水槽４を一方向に高速回転させるように駆動電動機７１を制御する。このように制御することにより、洗濯兼脱水槽４は、高速回転して洗濯物２９を高速回転させ、羽根４も洗濯物２９の回転に連れて回転する。
【００５１】
ステップＳ１０６
濯ぎ水の給水工程を実行する。この給水制御は、洗い水の給水と同様にして行う。
【００５２】
ステップＳ１０７
濯ぎ工程を実行する。この濯ぎ工程は、基本的には、ステップＳ１０３の洗い工程と同様に制御する。
【００５３】
ステップＳ１０８
濯ぎ水を排水する排水工程を実行する。この排水工程の制御は、ステップＳ１０４の排水工程と同様に行う。
【００５４】
ステップＳ１０９
洗濯物２９に含まれている濯ぎ水を遠心脱水する脱水工程を実行する。この脱水工程の制御は、ステップＳ１０５の脱水工程と同様に行う。
【００５５】
ステップＳ１１０
濯ぎ水の給水工程を実行する。この給水工程は、ステップＳ１０２の給水工程と同様に制御する。
【００５６】
ステップＳ１１１
濯ぎ工程を実行する。この濯ぎ工程は、ステップＳ１０７の濯ぎ工程と同様に制御する。
【００５７】
ステップＳ１１２
濯ぎ水を排水する排水工程を実行する。この排水工程は、ステップＳ１０４の排水工程と同様に制御する。
【００５８】
ステップＳ１１３
最終脱水工程を実行する。この最終脱水工程は、洗濯物２９に含まれる水分をできるだけ多く脱水するように、前述した脱水工程よりも長い時間をかけて遠心脱水するように制御する。
【００５９】
ステップＳ１１４
全自動洗濯，脱水工程が終了したことを報知するように操作パネル１３の表示素子群１３３を制御し、終了ブザー（図示省略）を鳴動させる。
【００６０】
このような洗濯および脱水において、洗濯物２９に付着した汚れを落すための電気洗濯機としての大きな役目は、洗濯物２９に有効に機械力を作用させることである。洗濯性能として評価されるものは、洗濯物２９が絡まず、傷まず、むらなく良く洗えることの３要素である。しかし、機械力を提供する電気洗濯機においては、良く洗えるようにするためには、大きな機械力を洗濯物２９に作用させて該洗濯物２９に付着した汚れをむらなく落すことであるが、洗濯物２９に大きな機械力を作用させることは、洗濯物２９の布傷みや絡みが増大することにもなる。
【００６１】
洗濯物２９を絡ませず、傷ませず、むらなく良く洗えるようにするために、この実施の形態における全自動電気洗濯機は、洗濯兼脱水槽４と羽根６を好ましい形状に設定し、洗濯兼脱水槽４の往復回転角度や回転周期を制御するように構成している。
【００６２】
図２に示すように、洗濯兼脱水槽４の内径寸法Ｄφと高さ寸法Ｈの関係も重要な要素である。現在の一般的な電気洗濯機においては、このＨ／Ｄφの関係を０．６〜０．８としている。この関係から外れると、洗いむらが発生したり、布傷みや絡みの発生が増大してしまう。
【００６３】
しかしながら、この実施の形態では、洗濯兼脱水槽４のＨ／Ｄφの関係は、従来の電気洗濯機における値（０．６〜０．８）の範囲を維持しつつ、羽根６の外径寸法ｄφと高さ寸法ｈを工夫してｈ／Ｈの関係および洗濯兼脱水槽４の内周面に突出させた突条４ｂと羽根６の外周の間の間隙寸法Ｗを設定することにより、洗濯物２９の布傷みや絡みの発生を抑制しつつ洗いむらがなく良く洗えるように構成した。
【００６４】
Ｈ／Ｄφを０．６〜０．８に設定する条件において、洗濯兼脱水槽４の高さ寸法Ｈと羽根６のｈ寸法の関係は、ｈ／Ｈの値が１．１５〜０．２５の範囲となるようにすることが望ましい。ｈ／Ｈの値が１．１５を越えると、洗濯兼脱水槽４へ洗濯物２９を出し入れするときに羽根６が邪魔になって取り扱い性が低下する。また、０．２５未満になると、羽根６が低くなって該羽根６から洗濯物２９に作用させる静止力が減少して洗濯物２９に作用する機械力が低下することにより該洗濯物２９の汚れを落す機械的な洗濯機能が低下する。
【００６５】
また、洗濯兼脱水槽４の内径寸法Ｄφと羽根６の外形寸法ｄφの関係は、ｄφ／Ｄφの値が０．６〜０．９６であることが望ましいが、羽根６を静止させた状態で洗濯兼脱水槽４を往復回転させ、この洗濯兼脱水槽４の内周側壁に設けた縦長形状の突条４ｂによって洗濯物２９の外側から該洗濯物２９に揉み洗いのような機械力を作用させる全自動電気洗濯機においては、突条４ｂと羽根６の間の間隙の寸法Ｗが重要である。
【００６６】
この間隙寸法Ｗと洗濯性能の関係を図９と図１０に示す試験結果を参照して説明する。
【００６７】
図９は、洗濯物２９を洗濯したときに、洗濯物２９に付着した汚れを落す効果を表わした特性図である。ここで、洗濯物２９に付着した汚れを落す性能評価を説明すると、ＪＩＳに規定されている基準洗濯機で規定の汚れの試料（洗濯物）を洗浄した結果に対し、試験用洗濯機で規定の汚れの試料（洗濯物）を洗ったときの結果を割合で評価するものであり、洗浄比として表わしている。すなわち、洗浄比は、ＪＩＳ規定の基準洗濯機で規定の汚れの洗濯物を洗ったときの汚れ落ちを分母とし、試験用洗濯機で同じように洗ったときの汚れ落ちを分子として計算された値であって、試験用洗濯機の洗浄力を評価するものである。
【００６８】
この洗浄比は、一般的には、０．８以上の値であれば、洗濯物２９に付着した汚れを支障無い程度に落すことができる電気洗濯機と評価することができる値である。また、この洗浄比は、１．０以上と高い程汚れ落ちが良くなり電気洗濯機の洗浄性能としての満足度が高くなるが、撹拌翼を回転させて洗濯する従来のパルセータ方式の電気洗濯機では、撹拌翼から洗濯物２９に作用させる機械力を大きくしなければならないことから、洗濯物２９の傷みが大きくなる傾向にある。
【００６９】
この実施の形態における全自動電気洗濯機では、間隙寸法Ｗを３５〜８０ｍｍとすることにより、０．８以上の洗浄比を得ることができる。３５ｍｍ未満や８０ｍｍを越えた間隙寸法では、洗浄力が悪くなる傾向にある。
【００７０】
これは、３５ｍｍ未満では、洗濯物２９が大きな抵抗となって洗濯時に該洗濯物２９の動きが悪くなることから、洗濯物２９を揉み洗いするように作用する機械力が低下して洗浄力が悪くなるものである。また、間隙寸法Ｗが８０ｍｍ以上になると、洗濯物２９が過度に動き易くなって突条４ｂと羽根６から逃げ易くなることから、洗濯物２９を揉み洗いするように作用する機械力が低下して洗浄力が悪くなるものである。
【００７１】
図１０は、布傷みと布絡みを表わした特性図である。布傷みは、間隙寸法Ｗが３５ｍｍ未満になると大きくなる。これは、洗濯物２９が突条４ｂと羽根６の間に強く挟まれるようになることが原因である。特に、間隙寸法Ｗが２５ｍｍ以下になると、布の破れが発生する現象が見られる程に急激に大きくなる。布絡みは、洗濯兼脱水槽４の回転に連れて洗濯物２９が回転することにより発生する現象であり、間隙寸法Ｗの増加に連れて徐々に増大するような略比例関係にあることから、洗浄力および布傷みの関係を考慮すると、間隙寸法Ｗは、３５ｍｍ〜８０ｍｍとすることが望ましい。
【００７２】
【発明の効果】
本発明の電気洗濯機は、洗濯兼脱水槽の中央部に位置させて設置した羽根を静止させた状態で洗濯兼脱水槽を往復回転させて洗濯物を洗濯するようにしたので、洗濯物の傷みや絡みや洗いむらを大幅に低減することができる。
【００７３】
また、このような電気洗濯機を実現するために好ましい洗濯兼脱水槽，羽根，電動駆動装置，制御装置を提案することができる。
【図面の簡単な説明】
【図１】本発明の一実施の形態を示す全自動電気洗濯機の縦断面図である。
【図２】この全自動電気洗濯機における洗濯兼脱水槽と羽根の関係を示す縦断側面図である。
【図３】洗濯（洗い，濯ぎ）工程における洗濯兼脱水槽の回転と洗濯物の挙動の関係を示す平面図であり、洗濯兼脱水槽が静止した状態を示している。
【図４】洗濯（洗い，濯ぎ）工程における洗濯兼脱水槽の回転と洗濯物の挙動の関係を示す平面図であり、洗濯兼脱水槽が回転した状態を示している。
【図５】電動駆動装置の内部機構を示す縦断側面図であり、洗濯工程にある状態を示している。
【図６】電動駆動装置の内部機構を示す縦断側面図であり、脱水工程にある状態を示している。
【図７】制御系のブロック図である。
【図８】全自動で行う洗濯および脱水工程のタイムチャートである。
【図９】洗濯兼脱水槽内壁の突条と羽根の間の間隙と洗浄効果の関係を示す特性図である。
【図１０】洗濯兼脱水槽内壁の突条と羽根の間の間隙と布傷みおよび布絡みの関係を示す特性図である。
【符号の説明】
４…洗濯兼脱水槽、４ｂ…突条、６…羽根、７…電動駆動装置、１５…制御装置、２５…循環ポンプ、７１…駆動電動機、７２…係止機構。
【図１】
2005006689.tif 000003
【図２】
2005006689.tif 000004
【図３】
2005006689.tif 000005
【図４】
2005006689.tif 000006
【図５】
2005006689.tif 000007
【図６】
2005006689.tif 000008
【図７】
2005006689.tif 000009
【図８】
2005006689.tif 000010
【図９】
2005006689.tif 000011
【図１０】
2005006689.tif 000012